(57)【要約】      （修正有）【課題】盗難を防ぎ、なくなった後で探しやすい財布を提供する。【解決手段】財布本体９０１を含み、前記財布本体が財布外殻１０を含み、前記財布外殻の底部端面には左右対称の硬質な外殻が固定的に取り付けられ、前記財布外殻の底部端面には財布のロックをコントロールするロック部品が設置され、前記ロック部品が母スナップと子スナップを含み、前記財布外殻の中には補助部品が設置され、前記補助部品がチップを含み、前記補助部品の右側には糸巻き部品が設置される。財布外殻を二つ折りにした後に、連接ベルトを子スナップのところに巻き付け、母スナップと子スナップをロックさせ、財布のロックを完成し、証明書類などを落とすことを防ぐ。財布を紛失するとチップの信号より財布の位置が分かる。【選択図】図１
2020175102.tif 000002
【特許請求の範囲】
【請求項１】
財布本体を含み、前記財布本体が財布外殻を含み、前記財布外殻の底部端面には左右対称の硬質な外殻が固定的に取り付けられ、前記財布外殻の底部端面には財布のロックをコントロールするロック部品が設置され、前記ロック部品が母スナップと子スナップを含み、前記財布外殻の中には補助部品が設置され、前記補助部品がチップを含み、前記補助部品の右側には糸巻き部品が設置され、前記糸巻き部品がリールと、糸連接ブロックとねじりバネを含み、前記ねじりバネを通じて前記リールの回転をコントロールし、前記糸連接ブロックの右側にはロック部品が設置され、前記ロック部品がヒンジ接続環状ブロックと固定環状ブロックを含み、前記リールの下には前記リールの回転を制御するロック装置が設置され、前記ロック装置がリミットプッシュブロックとラックストップブロックを含み、前記ラックストップブロックが前記リールの回転を止めることができ、前記ロック装置がまた前記リミットプッシュブロックの変位をコントロールする連接ギヤを含み、前記連接ギヤが前記ラックストップブロックの昇降をコントロールすることを特徴とする便利財布。
【請求項２】
前記財布本体は前記財布外殻の頂部端面に位置する証明書類区域を含み、前記財布外殻の頂部端面において前記証明書類区域の右側には小遣い区域が設置され、前記証明書類区域の頂部端面には面ファスナーが設置され、前記財布外殻の中には後に開口した左右対称の小仕切りが設置され、前記財布外殻の中において前記小仕切りの下方には後に開口した大仕切りが設置されることを特徴とする請求項１に記載の便利財布。
【請求項３】
前記糸巻き部品は前記財布外殻の中に位置する糸巻きチャンバと含み、右側の前記硬質外殻の頂部端面が前記糸巻きチャンバと連通され、前記糸巻きチャンバの上下内壁の間には糸巻き軸が固定的に取り付けられ、前記糸巻き軸には上下対称の環状リミット板が固定的に取り付けられ、上下両側の前記環状リミット板の内側端面にはリミット輪が固定的に取り付けられ、前記リールが上下両側の前記環状リミット板の間に回転できるように取り付けられ、前記リールの上下端面には対称のリミットスライド溝が設置され、前記リミットスライド溝と前記リミット輪とがスライドできるように係合され、前記リールの内輪の内壁にはねじりバネ固定軸が中心に対して対称のように固定的に取り付けられ、前記ねじりバネが上下両側の前記環状リミット板の間の前記糸巻き軸の外側に位置し、前記ねじりバネの両端がそれぞれ両側の前記ねじりバネ固定軸と固定的に連接され、前記財布外殻の右側の端面には右に開口した連接チャンバが設置され、前記連接チャンバと前記糸巻きチャンバの間には糸溝が連通して設置され、前記糸連接ブロックが前記連接チャンバのところに挿入して取付けられることができ、前記糸連接ブロックの左側の端面には糸が固定的に連接され、前記糸が前記糸巻きチャンバの中に入って前記リールに固定的に巻き付くことを特徴とする請求項１に記載の便利財布。
【請求項４】
前記ロック装置は右側の前記硬質外殻の底部の端面に位置する下に開口したブロックチャンバを含み、前記リミットプッシュブロックが前記ブロックチャンバの中にスライドできるように係合接続され、前記リミットプッシュブロックの底部端面と前記ブロックチャンバの頂壁との間にギヤが固定的に取り付けられ、前記ブロックチャンバの右側にスライド溝が設置され、前記リミットプッシュブロックの右側端面には前記スライド溝とスライドできるように係合されるスライドブロックが固定的に取り付けられ、前記スライド溝の頂壁の中には連通したラック槽が設置され、前記スライドブロックの頂部端面には前記ラック槽とスライドできるように係合されるラックブロックが固定的に取り付けられ、前記ラック槽の右側の内壁には連通した噛合チャンバが設置され、前記連接ギヤが前記噛合チャンバの前後内壁の間に回転できるように係合接続され、前記連接ギヤが前記ラック槽と噛み合い、前記噛合チャンバの右側の内壁の中には前記糸巻きチャンバと連通されるストップブロック槽が設置され、前記ストップブロックが前記ストップブロック溝の中にスライドできるように係合取付けられ、前記ラックストップブロックと前記連接ギヤとが噛み合い、前記リールの外側端面には上下対称の柱が均一分布され、前記ラックストップブロックが前記糸巻きチャンバの中に入ると、前記柱を止めることができ、それで通常の状態にある時、リミットプッシュブロックがギヤの影響でブロックチャンバの底部に位置し、ラックストップブロックが糸巻きチャンバの中に位置し柱を阻み、リールが回転することができなく、リミットプッシュブロックを押してスライドブロックとラックブロックを連動させて上に移動させ、ラックブロックが噛み合いによって連接ギヤを連動させて回転させ、連接ギヤが噛み合いによってラックストップブロックを連動させて下に移動させ、リールが回転でき、リミットプッシュブロックを放した後、ブロックチャンバがリミットプッシュブロックを下に押して復帰させ、ラックストップブロックが糸巻きチャンバの中に入って環状リミット板を止めることを特徴とする請求項１に記載の便利財布。
【請求項５】
前記ロック部品は前記糸連接ブロックの右側端面に固定的に取付けられるヒンジ接続ヘッドを含み、前記固定環状ブロックが前記ヒンジ接続ヘッドの上に固定的に取り付けられ、前記ヒンジ接続環状ブロックが前記ヒンジ接続ヘッドの上に係合取り付けられ、前記ヒンジ接続環状ブロックと前記固定環状ブロックとの間には圧縮バネが固定的に取り付けられ、前記ロック部品が左側の前記硬質外殻の底部端面に固定的に取付けられる連接ベルトを含み、前記母スナップが前記連接ベルトの端部に固定的に取り付けられ、前記子スナップが右側の前記硬質外殻の底部端面に固定的に取付けられ、前記母スナップが前記子スナップとロックすることができ、前記補助部品が前記財布外殻の左側端面の中に位置するモバイルバッテリーを含み、前記チップが前記財布外殻の中に位置することを特徴とする請求項１に記載の便利財布。
【発明の詳細な説明】
【技術分野】
【０００１】
本発明は財布分野に関し、具体的には便利財布である。
【背景技術】
【０００２】
今の日常生活ではモバイル決済はとっても便利で普遍的であるが、財布を持つ人が大勢にいる。財布に証明書類、名刺と現金を放置することができる。財布が盗まれたら、大変なことになる。多くの人にとって、財布の中にある証明書類、名刺やカードなどのものは金より大事なものである。普通亡くなった又は盗まれた財布を取り戻すことが難しい。一般的に、取り戻した財布はその中の証明書類や名刺などがまだちょんと財布にある。そのために、盗難を防ぎ、なくなった後で探しやすい財布が必要である。
【先行技術文献】
【特許文献】
【０００３】
【特許文献１】中国特許出願公開第１０７９２８０４７号明細書
【発明の概要】
【発明が解決しようとする課題】
【０００４】
本発明の目的は便利財布を提供し、既存の技術にある上記の欠陥を補うことにある。
【課題を解決するための手段】
【０００５】
便利財布は、財布本体を含み、前記財布本体が財布外殻を含み、前記財布外殻の底部端面には左右対称の硬質な外殻が固定的に取り付けられ、前記財布外殻の底部端面には財布のロックをコントロールするロック部品が設置され、前記ロック部品が母スナップと子スナップを含み、前記財布外殻の中には補助部品が設置され、前記補助部品がチップを含み、前記補助部品の右側には糸巻き部品が設置され、前記糸巻き部品がリールと、糸連接ブロックとねじりバネを含み、前記ねじりバネを通じて前記リールの回転をコントロールし、前記糸連接ブロックの右側にはロック部品が設置され、前記ロック部品がヒンジ接続環状ブロックと固定環状ブロックを含み、前記リールの下には前記リールの回転を制御するロック装置が設置され、前記ロック装置がリミットプッシュブロックとラックストップブロックを含み、前記ラックストップブロックが前記リールの回転を止めることができ、前記ロック装置がまた前記リミットプッシュブロックの変位をコントロールする連接ギヤを含み、前記連接ギヤが前記ラックストップブロックの昇降をコントロールする。
【０００６】
さらなる技術プラントして、前記財布本体は前記財布外殻の頂部端面に位置する証明書類区域を含み、前記財布外殻の頂部端面において前記証明書類区域の右側には小遣い区域が設置され、前記証明書類区域の頂部端面には面ファスナーが設置され、前記財布外殻の中には後に開口した左右対称の小仕切りが設置され、前記財布外殻の中において前記小仕切りの下方には後に開口した大仕切りが設置される。
【０００７】
さらなる技術プラントして、前記糸巻き部品は前記財布外殻の中に位置する糸巻きチャンバと含み、右側の前記硬質外殻の頂部端面が前記糸巻きチャンバと連通され、前記糸巻きチャンバの上下内壁の間には糸巻き軸が固定的に取り付けられ、前記糸巻き軸には上下対称の環状リミット板が固定的に取り付けられ、上下両側の前記環状リミット板の内側端面にはリミット輪が固定的に取り付けられ、前記リールが上下両側の前記環状リミット板の間に回転できるように取り付けられ、前記リールの上下端面には対称のリミットスライド溝が設置され、前記リミットスライド溝と前記リミット輪とがスライドできるように係合され、前記リールの内輪の内壁にはねじりバネ固定軸が中心に対して対称のように固定的に取り付けられ、前記ねじりバネが上下両側の前記環状リミット板の間の前記糸巻き軸の外側に位置し、前記ねじりバネの両端がそれぞれ両側の前記ねじりバネ固定軸と固定的に連接され、前記財布外殻の右側の端面には右に開口した連接チャンバが設置され、前記連接チャンバと前記糸巻きチャンバの間には糸溝が連通して設置され、前記糸連接ブロックが前記連接チャンバのところに挿入して取付けられることができ、前記糸連接ブロックの左側の端面には糸が固定的に連接され、前記糸が前記糸巻きチャンバの中に入って前記リールに固定的に巻き付く。
【０００８】
さらなる技術プラントして、前記ロック装置は右側の前記硬質外殻の底部の端面に位置する下に開口したブロックチャンバを含み、前記リミットプッシュブロックが前記ブロックチャンバの中にスライドできるように係合接続され、前記リミットプッシュブロックの底部端面と前記ブロックチャンバの頂壁との間にギヤが固定的に取り付けられ、前記ブロックチャンバの右側にスライド溝が設置され、前記リミットプッシュブロックの右側端面には前記スライド溝とスライドできるように係合されるスライドブロックが固定的に取り付けられ、前記スライド溝の頂壁の中には連通したラック槽が設置され、前記スライドブロックの頂部端面には前記ラック槽とスライドできるように係合されるラックブロックが固定的に取り付けられ、前記ラック槽の右側の内壁には連通した噛合チャンバが設置され、前記連接ギヤが前記噛合チャンバの前後内壁の間に回転できるように係合接続され、前記連接ギヤが前記ラック槽と噛み合い、前記噛合チャンバの右側の内壁の中には前記糸巻きチャンバと連通されるストップブロック槽が設置され、前記ストップブロックが前記ストップブロック溝の中にスライドできるように係合取付けられ、前記ラックストップブロックと前記連接ギヤとが噛み合い、前記リールの外側端面には上下対称の柱が均一分布され、前記ラックストップブロックが前記糸巻きチャンバの中に入ると、前記柱を止めることができる。
【０００９】
さらなる技術プラントして、前記ロック部品は前記糸連接ブロックの右側端面に固定的に取付けられるヒンジ接続ヘッドを含み、前記固定環状ブロックが前記ヒンジ接続ヘッドの上に固定的に取り付けられ、前記ヒンジ接続環状ブロックが前記ヒンジ接続ヘッドの上に係合取り付けられ、前記ヒンジ接続環状ブロックと前記固定環状ブロックとの間には圧縮バネが固定的に取り付けられ、前記ロック部品が左側の前記硬質外殻の底部端面に固定的に取付けられる連接ベルトを含み、前記母スナップが前記連接ベルトの端部に固定的に取り付けられ、前記子スナップが右側の前記硬質外殻の底部端面に固定的に取付けられ、前記母スナップが前記子スナップとロックすることができ、前記補助部品が前記財布外殻の左側端面の中に位置するモバイルバッテリーを含み、前記チップが前記財布外殻の中に位置する。
【発明の効果】
【００１０】
本発明の有益効果は：本発明の仕組みが簡単で、使い方が便利です。財布にはモバイルバッテリーを備え、携帯の電気が切るときに携帯に充電ができる。その同時にチップに電気を供給することができる。財布の位置をいつも把握できる。ロック部品を通じて財布とベルトループとを連接することで、財布の紛失を防ぐ。ロック部品と糸を回す部品の係合を通じて、財布が盗まれる機率を減少し、財布を一定の範囲内で限定することができ、普及すべきものである。
【図面の簡単な説明】
【００１１】
【図１】図１は本発明の全体構造概略図である。
【図２】図２は図１におけるＡ−Ａ方向の断面構造概略図である。
【図３】図３は図１におけるＢ−Ｂ方向の断面構造概略図である。
【図４】図４は図３におけるＣの拡大図である。
【図５】図５は図３におけるＤの拡大図である。
【図６】図６はリールの俯瞰図である。
【発明を実施するための形態】
【００１２】
下記に図１〜６を合わせて本発明について詳しく説明する。意思疎通の便利を図って、下記に記載の上下左右前後方向は図２の投影関係の上下左右前後方向と一致している。
【００１３】
図１〜６を参照して、本発明の便利財布は、財布本体９０１を含み、前記財布本体９０１が財布外殻１０を含み、前記財布外殻１０の底部端面には左右対称の硬質な外殻１６が固定的に取り付けられ、前記財布外殻１０の底部端面には財布のロックをコントロールするロック部品９０２が設置され、前記ロック部品９０２が母スナップ２１と子スナップ２２を含み、前記財布外殻１０の中には補助部品９０３が設置され、前記補助部品９０３がチップ１７を含み、前記補助部品９０３の右側には糸巻き部品９０４が設置され、前記糸巻き部品９０４がリール３７と、糸連接ブロック２７とねじりバネ３６を含み、前記ねじりバネ３６を通じて前記リール３７の回転をコントロールし、前記糸連接ブロック２７の右側にはロック部品９０５が設置され、前記ロック部品９０５がヒンジ接続環状ブロック３０と固定環状ブロック２８を含み、前記リール３７の下には前記リール３７の回転を制御するロック装置９０６が設置され、前記ロック装置９０６がリミットプッシュブロック４３とラックストップブロック５２を含み、前記ラックストップブロック５２が前記リール３７の回転を止めることができ、前記ロック装置９０６がまた前記リミットプッシュブロック４３の変位をコントロールする連接ギヤ５０を含み、前記連接ギヤ５０が前記ラックストップブロック５２の昇降をコントロールする。
【００１４】
有益的にまた例を示すように、前記財布本体９０１は前記財布外殻１０の頂部端面に位置する証明書類区域１２を含み、前記財布外殻１０の頂部端面において前記証明書類区域１２の右側には小遣い区域１３が設置され、前記証明書類区域１２の頂部端面には面ファスナー１１が設置され、前記財布外殻１０の中には後に開口した左右対称の小仕切り１４が設置され、前記財布外殻１０の中において前記小仕切り１４の下方には後に開口した大仕切り１５が設置され、それで大仕切り１５に紙幣を入れ、左側の小仕切り１４にはカードを入れ、右側の小仕切り１４には名刺を入れ、証明書類区域１２には証明書類を入れ、小遣い区域１３には小遣いを入れることができ、面ファスナー１１には余計な証明書類いれを貼り付け、小遣い区域１３にはチャックが付き、硬質外殻１６によって財布を守ることができる。
【００１５】
有益的にまた例を示すように、前記糸巻き部品９０４は前記財布外殻１０の中に位置する糸巻きチャンバ２３と含み、右側の前記硬質外殻１６の頂部端面が前記糸巻きチャンバ２３と連通され、前記糸巻きチャンバ２３の上下内壁の間には糸巻き軸３２が固定的に取り付けられ、前記糸巻き軸３２には上下対称の環状リミット板３３が固定的に取り付けられ、上下両側の前記環状リミット板３３の内側端面にはリミット輪３４が固定的に取り付けられ、前記リール３７が上下両側の前記環状リミット板３３の間に回転できるように取り付けられ、前記リール３７の上下端面には対称のリミットスライド溝３８が設置され、前記リミットスライド溝３８と前記リミット輪３４とがスライドできるように係合され、前記リール３７の内輪の内壁にはねじりバネ固定軸３５が中心に対して対称のように固定的に取り付けられ、前記ねじりバネ３６が上下両側の前記環状リミット板３３の間の前記糸巻き軸３２の外側に位置し、前記ねじりバネ３６の両端がそれぞれ両側の前記ねじりバネ固定軸３５と固定的に連接され、前記財布外殻１０の右側の端面には右に開口した連接チャンバ２６が設置され、前記連接チャンバ２６と前記糸巻きチャンバ２３の間には糸溝２４が連通して設置され、前記糸連接ブロック２７が前記連接チャンバ２６のところに挿入して取付けられることができ、前記糸連接ブロック２７の左側の端面には糸２５が固定的に連接され、前記糸２５が前記糸巻きチャンバ２３の中に入って前記リール３７に固定的に巻き付き、これにより糸連接ブロック２７を引くことで糸２５を駆動して移動させ、糸２５がリール３７を引いて回転し始め、ねじりバネ３６が力を蓄え始め、糸連接ブロック２７を放した後、ねじりバネ３６の影響でリール３７を駆動して反転し復帰させ、糸２５をリール３７に巻き付ける。
【００１６】
有益的にまた例を示すように、前記ロック装置９０６は右側の前記硬質外殻１６の底部の端面に位置する下に開口したブロックチャンバ４１を含み、前記リミットプッシュブロック４３が前記ブロックチャンバ４１の中にスライドできるように係合接続され、前記リミットプッシュブロック４３の底部端面と前記ブロックチャンバ４１の頂壁との間にギヤ４２が固定的に取り付けられ、前記ブロックチャンバ４１の右側にスライド溝４４が設置され、前記リミットプッシュブロック４３の右側端面には前記スライド溝４４とスライドできるように係合されるスライドブロック４５が固定的に取り付けられ、前記スライド溝４４の頂壁の中には連通したラック槽４６が設置され、前記スライドブロック４５の頂部端面には前記ラック槽４６とスライドできるように係合されるラックブロック４７が固定的に取り付けられ、前記ラック槽４６の右側の内壁には連通した噛合チャンバ４８が設置され、前記連接ギヤ５０が前記噛合チャンバ４８の前後内壁の間に回転できるように係合接続され、前記連接ギヤ５０が前記ラック槽４６と噛み合い、前記噛合チャンバ４８の右側の内壁の中には前記糸巻きチャンバ２３と連通されるストップブロック槽５１が設置され、前記ストップブロック５２が前記ストップブロック溝５１の中にスライドできるように係合取付けられ、前記ラックストップブロック５２と前記連接ギヤ５０とが噛み合い、前記リール３７の外側端面には上下対称の柱４０が均一分布され、前記ラックストップブロック５２が前記糸巻きチャンバ２３の中に入ると、前記柱４０を止めることができ、それで通常の状態にある時、リミットプッシュブロック４３がギヤ４２の影響でブロックチャンバ４１の底部に位置し、ラックストップブロック５２が糸巻きチャンバ２３の中に位置し柱４０を阻み、リール３７が回転することができなく、リミットプッシュブロック４３を押してスライドブロック４５とラックブロック４７を連動させて上に移動させ、ラックブロック４７が噛み合いによって連接ギヤ５０を連動させて回転させ、連接ギヤ５０が噛み合いによってラックストップブロック５２を連動させて下に移動させ、リール３７が回転でき、リミットプッシュブロック４３を放した後、ブロックチャンバ４１がリミットプッシュブロック４３を下に押して復帰させ、ラックストップブロック５２が糸巻きチャンバ２３の中に入って環状リミット板３３を止める。
【００１７】
有益的にまた例を示すように、前記ロック部品９０５は前記糸連接ブロック２７の右側端面に固定的に取付けられるヒンジ接続ヘッド６０を含み、前記固定環状ブロック２８が前記ヒンジ接続ヘッド６０の上に固定的に取り付けられ、前記ヒンジ接続環状ブロック３０が前記ヒンジ接続ヘッド６０の上に係合取り付けられ、前記ヒンジ接続環状ブロック３０と前記固定環状ブロック２８との間には圧縮バネ３１が固定的に取り付けられ、前記ロック部品９０２が左側の前記硬質外殻１６の底部端面に固定的に取付けられる連接ベルト２０を含み、前記母スナップ２１が前記連接ベルト２０の端部に固定的に取り付けられ、前記子スナップ２２が右側の前記硬質外殻１６の底部端面に固定的に取付けられ、前記母スナップ２１が前記子スナップ２２とロックすることができ、前記補助部品９０３が前記財布外殻１０の左側端面の中に位置するモバイルバッテリー１８を含み、前記チップ１７が前記財布外殻１０の中に位置し、これによりヒンジ接続環状ブロック３０を押した後にベルトループをヒンジ接続環状ブロック３０と固定環状ブロック２８の間に置き、財布を落とすことを防ぎ、財布外殻１０を二つ折りにした後、連接ベルト２０を子スナップ２２のところに巻き付け、母スナップ２１と子スナップ２２をロックさせることができ、財布のロックを完成し、証明書類などを落とすことを防ぎ、モバイルバッテリー１８を使って携帯電話に充電することができ、同時にチップ１７に給電し、ブルートゥース（登録商標）を使って携帯とチップ１７とを接続し、財布を紛失するとチップ１７の信号により財布の位置が分かる。
【００１８】
使用の時、大仕切り１５の中に紙幣を入れ、左側の小仕切り１４にはカードを入れ、右側の小仕切り１４には名刺を入れ、証明書類区域１２には証明書類を入れ、小遣い区域１３には小遣いを入れ、面ファスナー１１には証明書類いれを貼り付け、小遣い区域１３をチャックによって開閉し、硬質外殻１６によって財布をダメージから守られる。
【００１９】
通常の状態では、リミットプッシュブロック４３がギヤ４２の影響でブロックチャンバ４１の底端に位置し、ラックストップブロック５２が糸巻きチャンバ２３の中に位置し柱４０を阻み、リール３７が回転できなく、リミットプッシュブロック４３を押してスライドブロック４５とラックブロック４７を連動させて上に移動させ、ラックブロック４７が噛合によって連接ギヤ５０を連動させて回転させ、連接ギヤ５０が噛合によってラックストップブロック５２を連動させて下に移動させ、リール３７が回転でき、糸連接ブロック２７を引いて動かすことで糸２５を連動させて移動させ、糸２５がリール３７を引いて回転させ、これによりねじりバネ３６が力を蓄え、ヒンジ接続環状ブロック３０を押した後にベルトループをヒンジ接続環状ブロック３０と固定環状ブロック２８の間に置き、財布を落とすことを防ぐ、糸連接ブロック２７を放し、ねじりバネ３６の影響でリール３７が反転してもとの位置に戻り、糸２５をリール３７に巻き付き、リミットプッシュブロック４３を放した後、ブロックチャンバ４１がリミットプッシュブロック４３が下に押し、これによりリミットプッシュブロック４３がもとの位置に戻り、ラックストップブロック５２が糸巻きチャンバ２３の中に入って環状リミット板３３を止める。
【００２０】
財布外殻１０を二つ折りにした後に、連接ベルト２０を子スナップ２２のところに巻き付け、母スナップ２１と子スナップ２２をロックさせ、財布のロックを完成し、証明書類などを落とすことを防ぐ。
【００２１】
モバイルバッテリー１８を使って携帯電話に充電することができ、同時にチップ１７に給電でき、ブルートゥース（登録商標）を使って携帯とチップ１７を接続し、財布を紛失するとチップ１７の信号より財布の位置が分かる。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175102.tif 000003
【図２】
2020175102.tif 000004
【図３】
2020175102.tif 000005
【図４】
2020175102.tif 000006
【図５】
2020175102.tif 000007
【図６】
2020175102.tif 000008
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
財布本体を含み、前記財布本体が財布外殻を含み、前記財布外殻の底部端面には左右対称の硬質な外殻が固定的に取り付けられ、前記財布外殻の底部端面には財布のロックをコントロールするロック部品が設置され、前記ロック部品が母スナップと子スナップを含み、前記財布外殻の中には補助部品が設置され、前記補助部品がチップを含み、前記補助部品の右側には糸巻き部品が設置され、前記糸巻き部品がリールと、糸連接ブロックとねじりバネを含み、前記ねじりバネを通じて前記リールの回転をコントロールし、前記糸連接ブロックの右側にはロック部品が設置され、前記ロック部品がヒンジ接続環状ブロックと固定環状ブロックを含み、前記リールの下には前記リールの回転を制御するロック装置が設置され、前記ロック装置がリミットプッシュブロックとラックストップブロックを含み、前記ラックストップブロックが前記リールの回転を止めることができ、前記ロック装置がまた前記リミットプッシュブロックの変位をコントロールする連接ギヤを含み、前記連接ギヤが前記ラックストップブロックの昇降をコントロールし、
前記財布本体は前記財布外殻の頂部端面に位置する証明書類区域を含み、前記財布外殻の頂部端面において前記証明書類区域の右側には小遣い区域が設置され、前記証明書類区域の頂部端面には面ファスナーが設置され、前記財布外殻の中には後に開口した左右対称の小仕切りが設置され、前記財布外殻の中において前記小仕切りの下方には後に開口した大仕切りが設置され、
前記糸巻き部品は前記財布外殻の中に位置する糸巻きチャンバを含み、右側の前記硬質外殻の頂部端面が前記糸巻きチャンバと連通され、前記糸巻きチャンバの上下内壁の間には糸巻き軸が固定的に取り付けられ、前記糸巻き軸には上下対称の環状リミット板が固定的に取り付けられ、上下両側の前記環状リミット板の内側端面にはリミット輪が固定的に取り付けられ、前記リールが上下両側の前記環状リミット板の間に回転できるように取り付けられ、前記リールの上下端面には前記糸巻き軸を対称中心として対称となったリミットスライド溝が設置され、前記リミットスライド溝と前記リミット輪とがスライドできるように係合され、前記リールの内輪の内壁にはねじりバネ固定軸が前記糸巻き軸を対称中心として対称となるように設置され、前記ねじりバネが上下両側の前記環状リミット板の間の前記糸巻き軸の外側に位置し、前記ねじりバネの両端がそれぞれ両側の前記ねじりバネ固定軸と固定的に連接され、前記財布外殻の右側の端面には右に開口した連接チャンバが設置され、前記連接チャンバと前記糸巻きチャンバの間には糸溝が連通して設置され、前記糸連接ブロックが前記連接チャンバのところに挿入して取付けられることができ、前記糸連接ブロックの左側の端面には糸が固定的に連接され、前記糸が前記糸巻きチャンバの中に入って前記リールに固定的に巻き付き、
前記ロック装置は右側の前記硬質外殻の底部の端面に位置する下に開口したブロックチャンバを含み、前記リミットプッシュブロックが前記ブロックチャンバの中にスライドできるように係合接続され、前記リミットプッシュブロックの底部端面と前記ブロックチャンバの頂壁との間にギヤが固定的に取り付けられ、前記ブロックチャンバの右側にスライド溝が設置され、前記リミットプッシュブロックの右側端面には前記スライド溝とスライドできるように係合されるスライドブロックが固定的に取り付けられ、前記スライド溝の頂壁の中には連通したラック溝が設置され、前記スライドブロックの頂部端面には前記ラック溝とスライドできるように係合されるラックブロックが固定的に取り付けられ、前記ラック溝の右側の内壁には連通した噛合チャンバが設置され、前記連接ギヤが前記噛合チャンバの前後内壁の間に回転できるように係合接続され、前記連接ギヤが前記ラック溝と噛み合い、前記噛合チャンバの右側の内壁の中には前記糸巻きチャンバと連通されるストップブロック溝が設置され、前記ストップブロックが前記ストップブロック溝の中にスライドできるように係合取付けられ、前記ラックストップブロックと前記連接ギヤとが噛み合い、前記リールの外側端面には上下対称の柱が均一分布され、前記ラックストップブロックが前記糸巻きチャンバの中に入ると、前記柱を止めることができ、それで通常の状態にある時、リミットプッシュブロックがギヤの影響でブロックチャンバの底部に位置し、ラックストップブロックが糸巻きチャンバの中に位置し柱を阻み、リールが回転することができなく、ラックブロックが噛み合いによって連接ギヤを連動させて回転させ、連接ギヤが噛み合いによってラックストップブロックを連動させて下に移動させ、リールが回転でき、リミットプッシュブロックを放した後、ブロックチャンバがリミットプッシュブロックを下に押してリミットプッシュブロックを復帰させ、ラックストップブロックが糸巻きチャンバの中に入って環状リミット板を止め、
前記ロック部品は前記糸連接ブロックの右側端面に固定的に取付けられるヒンジ接続ヘッドを含み、前記固定環状ブロックが前記ヒンジ接続ヘッドの上に固定的に取り付けられ、前記ヒンジ接続環状ブロックが前記ヒンジ接続ヘッドの上に係合取り付けられ、前記ヒンジ接続環状ブロックと前記固定環状ブロックとの間には圧縮バネが固定的に取り付けられ、前記ロック部品が左側の前記硬質外殻の底部端面に固定的に取付けられる連接ベルトを含み、前記母スナップが前記連接ベルトの端部に固定的に取り付けられ、前記子スナップが右側の前記硬質外殻の底部端面に固定的に取付けられ、前記母スナップが前記子スナップとロックすることができ、前記補助部品が前記財布外殻の左側端面の中に位置するモバイルバッテリーを含み、前記チップが前記財布外殻の中に位置することを特徴とする便利財布。
【手続補正２】
【補正対象書類名】明細書
【補正対象項目名】全文
【補正方法】変更
【補正の内容】
【発明の詳細な説明】
【技術分野】
【０００１】
本発明は財布分野に関し、具体的には便利財布である。
【背景技術】
【０００２】
今の日常生活ではモバイル決済はとっても便利で普遍的であるが、財布を持つ人が大勢にいる。財布に証明書類、名刺と現金を放置することができる。財布が盗まれたら、大変なことになる。多くの人にとって、財布の中にある証明書類、名刺やカードなどのものは金より大事なものである。普通亡くなった又は盗まれた財布を取り戻すことが難しい。一般的に、取り戻した財布はその中の証明書類や名刺などがまだちょんと財布にある。そのために、盗難を防ぎ、なくなった後で探しやすい財布が必要である。
【先行技術文献】
【特許文献】
【０００３】
【特許文献１】中国特許出願公開第１０７９２８０４７号明細書
【発明の概要】
【発明が解決しようとする課題】
【０００４】
本発明の目的は便利財布を提供し、既存の技術にある上記の欠陥を補うことにある。
【課題を解決するための手段】
【０００５】
便利財布は、財布本体を含み、前記財布本体が財布外殻を含み、前記財布外殻の底部端面には左右対称の硬質な外殻が固定的に取り付けられ、前記財布外殻の底部端面には財布のロックをコントロールするロック部品が設置され、前記ロック部品が母スナップと子スナップを含み、前記財布外殻の中には補助部品が設置され、前記補助部品がチップを含み、前記補助部品の右側には糸巻き部品が設置され、前記糸巻き部品がリールと、糸連接ブロックとねじりバネを含み、前記ねじりバネを通じて前記リールの回転をコントロールし、前記糸連接ブロックの右側にはロック部品が設置され、前記ロック部品がヒンジ接続環状ブロックと固定環状ブロックを含み、前記リールの下には前記リールの回転を制御するロック装置が設置され、前記ロック装置がリミットプッシュブロックとラックストップブロックを含み、前記ラックストップブロックが前記リールの回転を止めることができ、前記ロック装置がまた前記リミットプッシュブロックの変位をコントロールする連接ギヤを含み、前記連接ギヤが前記ラックストップブロックの昇降をコントロールする。
【０００６】
さらなる技術プラントして、前記財布本体は前記財布外殻の頂部端面に位置する証明書類区域を含み、前記財布外殻の頂部端面において前記証明書類区域の右側には小遣い区域が設置され、前記証明書類区域の頂部端面には面ファスナーが設置され、前記財布外殻の中には後に開口した左右対称の小仕切りが設置され、前記財布外殻の中において前記小仕切りの下方には後に開口した大仕切りが設置される。
【０００７】
さらなる技術プラントして、前記糸巻き部品は前記財布外殻の中に位置する糸巻きチャンバを含み、右側の前記硬質外殻の頂部端面が前記糸巻きチャンバと連通され、前記糸巻きチャンバの上下内壁の間には糸巻き軸が固定的に取り付けられ、前記糸巻き軸には上下対称の環状リミット板が固定的に取り付けられ、上下両側の前記環状リミット板の内側端面にはリミット輪が固定的に取り付けられ、前記リールが上下両側の前記環状リミット板の間に回転できるように取り付けられ、前記リールの上下端面には前記糸巻き軸を対称中心として対称となったリミットスライド溝が設置され、前記リミットスライド溝と前記リミット輪とがスライドできるように係合され、前記リールの内輪の内壁にはねじりバネ固定軸が前記糸巻き軸を対称中心として対称となるように設置され、前記ねじりバネが上下両側の前記環状リミット板の間の前記糸巻き軸の外側に位置し、前記ねじりバネの両端がそれぞれ両側の前記ねじりバネ固定軸と固定的に連接され、前記財布外殻の右側の端面には右に開口した連接チャンバが設置され、前記連接チャンバと前記糸巻きチャンバの間には糸溝が連通して設置され、前記糸連接ブロックが前記連接チャンバのところに挿入して取付けられることができ、前記糸連接ブロックの左側の端面には糸が固定的に連接され、前記糸が前記糸巻きチャンバの中に入って前記リールに固定的に巻き付く。
【０００８】
さらなる技術プラントして、前記ロック装置は右側の前記硬質外殻の底部の端面に位置する下に開口したブロックチャンバを含み、前記リミットプッシュブロックが前記ブロックチャンバの中にスライドできるように係合接続され、前記リミットプッシュブロックの底部端面と前記ブロックチャンバの頂壁との間にギヤが固定的に取り付けられ、前記ブロックチャンバの右側にスライド溝が設置され、前記リミットプッシュブロックの右側端面には前記スライド溝とスライドできるように係合されるスライドブロックが固定的に取り付けられ、前記スライド溝の頂壁の中には連通したラック溝が設置され、前記スライドブロックの頂部端面には前記ラック溝とスライドできるように係合されるラックブロックが固定的に取り付けられ、前記ラック溝の右側の内壁には連通した噛合チャンバが設置され、前記連接ギヤが前記噛合チャンバの前後内壁の間に回転できるように係合接続され、前記連接ギヤが前記ラック溝と噛み合い、前記噛合チャンバの右側の内壁の中には前記糸巻きチャンバと連通されるストップブロック溝が設置され、前記ストップブロックが前記ストップブロック溝の中にスライドできるように係合取付けられ、前記ラックストップブロックと前記連接ギヤとが噛み合い、前記リールの外側端面には上下対称の柱が均一分布され、前記ラックストップブロックが前記糸巻きチャンバの中に入ると、前記柱を止めることができる。
【０００９】
さらなる技術プラントして、前記ロック部品は前記糸連接ブロックの右側端面に固定的に取付けられるヒンジ接続ヘッドを含み、前記固定環状ブロックが前記ヒンジ接続ヘッドの上に固定的に取り付けられ、前記ヒンジ接続環状ブロックが前記ヒンジ接続ヘッドの上に係合取り付けられ、前記ヒンジ接続環状ブロックと前記固定環状ブロックとの間には圧縮バネが固定的に取り付けられ、前記ロック部品が左側の前記硬質外殻の底部端面に固定的に取付けられる連接ベルトを含み、前記母スナップが前記連接ベルトの端部に固定的に取り付けられ、前記子スナップが右側の前記硬質外殻の底部端面に固定的に取付けられ、前記母スナップが前記子スナップとロックすることができ、前記補助部品が前記財布外殻の左側端面の中に位置するモバイルバッテリーを含み、前記チップが前記財布外殻の中に位置する。
【発明の効果】
【００１０】
本発明の有益効果は：本発明の仕組みが簡単で、使い方が便利です。財布にはモバイルバッテリーを備え、携帯の電気が切るときに携帯に充電ができる。その同時にチップに電気を供給することができる。財布の位置をいつも把握できる。ロック部品を通じて財布とベルトループとを連接することで、財布の紛失を防ぐ。ロック部品と糸を回す部品の係合を通じて、財布が盗まれる機率を減少し、財布を一定の範囲内で限定することができ、普及すべきものである。
【図面の簡単な説明】
【００１１】
【図１】図１は本発明の全体構造概略図である。
【図２】図２は図１におけるＡ−Ａ方向の断面構造概略図である。
【図３】図３は図１におけるＢ−Ｂ方向の断面構造概略図である。
【図４】図４は図３におけるＣの拡大図である。
【図５】図５は図３におけるＤの拡大図である。
【図６】図６はリールの俯瞰図である。
【発明を実施するための形態】
【００１２】
下記に図１〜６を合わせて本発明について詳しく説明する。意思疎通の便利を図って、下記に記載の上下左右前後方向は図２の投影関係の上下左右前後方向と一致している。
【００１３】
図１〜６を参照して、本発明の便利財布は、財布本体９０１を含み、前記財布本体９０１が財布外殻１０を含み、前記財布外殻１０の底部端面には左右対称の硬質な外殻１６が固定的に取り付けられ、前記財布外殻１０の底部端面には財布のロックをコントロールするロック部品９０２が設置され、前記ロック部品９０２が母スナップ２１と子スナップ２２を含み、前記財布外殻１０の中には補助部品９０３が設置され、前記補助部品９０３がチップ１７を含み、前記補助部品９０３の右側には糸巻き部品９０４が設置され、前記糸巻き部品９０４がリール３７と、糸連接ブロック２７とねじりバネ３６を含み、前記ねじりバネ３６を通じて前記リール３７の回転をコントロールし、前記糸連接ブロック２７の右側にはロック部品９０５が設置され、前記ロック部品９０５がヒンジ接続環状ブロック３０と固定環状ブロック２８を含み、前記リール３７の下には前記リール３７の回転を制御するロック装置９０６が設置され、前記ロック装置９０６がリミットプッシュブロック４３とラックストップブロック５２を含み、前記ラックストップブロック５２が前記リール３７の回転を止めることができ、前記ロック装置９０６がまた前記リミットプッシュブロック４３の変位をコントロールする連接ギヤ５０を含み、前記連接ギヤ５０が前記ラックストップブロック５２の昇降をコントロールする。
【００１４】
有益的にまた例を示すように、前記財布本体９０１は前記財布外殻１０の頂部端面に位置する証明書類区域１２を含み、前記財布外殻１０の頂部端面において前記証明書類区域１２の右側には小遣い区域１３が設置され、前記証明書類区域１２の頂部端面には面ファスナー１１が設置され、前記財布外殻１０の中には後に開口した左右対称の小仕切り１４が設置され、前記財布外殻１０の中において前記小仕切り１４の下方には後に開口した大仕切り１５が設置され、それで大仕切り１５に紙幣を入れ、左側の小仕切り１４にはカードを入れ、右側の小仕切り１４には名刺を入れ、証明書類区域１２には証明書類を入れ、小遣い区域１３には小遣いを入れることができ、面ファスナー１１には余計な証明書類いれを貼り付け、小遣い区域１３にはチャックが付き、硬質外殻１６によって財布を守ることができる。
【００１５】
有益的にまた例を示すように、前記糸巻き部品９０４は前記財布外殻１０の中に位置する糸巻きチャンバ２３を含み、右側の前記硬質外殻１６の頂部端面が前記糸巻きチャンバ２３と連通され、前記糸巻きチャンバ２３の上下内壁の間には糸巻き軸３２が固定的に取り付けられ、前記糸巻き軸３２には上下対称の環状リミット板３３が固定的に取り付けられ、上下両側の前記環状リミット板３３の内側端面にはリミット輪３４が固定的に取り付けられ、前記リール３７が上下両側の前記環状リミット板３３の間に回転できるように取り付けられ、前記リール３７の上下端面には前記糸巻き軸３２を対称中心として対称となったリミットスライド溝３８が設置され、前記リミットスライド溝３８と前記リミット輪３４とがスライドできるように係合され、前記リール３７の内輪の内壁にはねじりバネ固定軸３５が前記糸巻き軸３２を対称中心として対称となるように設置され、前記ねじりバネ３６が上下両側の前記環状リミット板３３の間の前記糸巻き軸３２の外側に位置し、前記ねじりバネ３６の両端がそれぞれ両側の前記ねじりバネ固定軸３５と固定的に連接され、前記財布外殻１０の右側の端面には右に開口した連接チャンバ２６が設置され、前記連接チャンバ２６と前記糸巻きチャンバ２３の間には糸溝２４が連通して設置され、前記糸連接ブロック２７が前記連接チャンバ２６のところに挿入して取付けられることができ、前記糸連接ブロック２７の左側の端面には糸２５が固定的に連接され、前記糸２５が前記糸巻きチャンバ２３の中に入って前記リール３７に固定的に巻き付き、これにより糸連接ブロック２７を引くことで糸２５を駆動して移動させ、糸２５がリール３７を引いて回転し始め、ねじりバネ３６が力を蓄え始め、糸連接ブロック２７を放した後、ねじりバネ３６の影響でリール３７を駆動して反転し復帰させ、糸２５をリール３７に巻き付ける。
【００１６】
有益的にまた例を示すように、前記ロック装置９０６は右側の前記硬質外殻１６の底部の端面に位置する下に開口したブロックチャンバ４１を含み、前記リミットプッシュブロック４３が前記ブロックチャンバ４１の中にスライドできるように係合接続され、前記リミットプッシュブロック４３の底部端面と前記ブロックチャンバ４１の頂壁との間にギヤ４２が固定的に取り付けられ、前記ブロックチャンバ４１の右側にスライド溝４４が設置され、前記リミットプッシュブロック４３の右側端面には前記スライド溝４４とスライドできるように係合されるスライドブロック４５が固定的に取り付けられ、前記スライド溝４４の頂壁の中には連通したラック溝４６が設置され、前記スライドブロック４５の頂部端面には前記ラック溝４６とスライドできるように係合されるラックブロック４７が固定的に取り付けられ、前記ラック溝４６の右側の内壁には連通した噛合チャンバ４８が設置され、前記連接ギヤ５０が前記噛合チャンバ４８の前後内壁の間に回転できるように係合接続され、前記連接ギヤ５０が前記ラック溝４６と噛み合い、前記噛合チャンバ４８の右側の内壁の中には前記糸巻きチャンバ２３と連通されるストップブロック溝５１が設置され、前記ストップブロック５２が前記ストップブロック溝５１の中にスライドできるように係合取付けられ、前記ラックストップブロック５２と前記連接ギヤ５０とが噛み合い、前記リール３７の外側端面には上下対称の柱４０が均一分布され、前記ラックストップブロック５２が前記糸巻きチャンバ２３の中に入ると、前記柱４０を止めることができ、それで通常の状態にある時、リミットプッシュブロック４３がギヤ４２の影響でブロックチャンバ４１の底部に位置し、ラックストップブロック５２が糸巻きチャンバ２３の中に位置し柱４０を阻み、リール３７が回転することができなく、ラックブロック４７が噛み合いによって連接ギヤ５０を連動させて回転させ、連接ギヤ５０が噛み合いによってラックストップブロック５２を連動させて下に移動させ、リール３７が回転でき、リミットプッシュブロック４３を放した後、ブロックチャンバ４１がリミットプッシュブロック４３を下に押してリミットプッシュブロック４３を復帰させ、ラックストップブロック５２が糸巻きチャンバ２３の中に入って環状リミット板３３を止める。
【００１７】
有益的にまた例を示すように、前記ロック部品９０５は前記糸連接ブロック２７の右側端面に固定的に取付けられるヒンジ接続ヘッド６０を含み、前記固定環状ブロック２８が前記ヒンジ接続ヘッド６０の上に固定的に取り付けられ、前記ヒンジ接続環状ブロック３０が前記ヒンジ接続ヘッド６０の上に係合取り付けられ、前記ヒンジ接続環状ブロック３０と前記固定環状ブロック２８との間には圧縮バネ３１が固定的に取り付けられ、前記ロック部品９０２が左側の前記硬質外殻１６の底部端面に固定的に取付けられる連接ベルト２０を含み、前記母スナップ２１が前記連接ベルト２０の端部に固定的に取り付けられ、前記子スナップ２２が右側の前記硬質外殻１６の底部端面に固定的に取付けられ、前記母スナップ２１が前記子スナップ２２とロックすることができ、前記補助部品９０３が前記財布外殻１０の左側端面の中に位置するモバイルバッテリー１８を含み、前記チップ１７が前記財布外殻１０の中に位置し、これによりヒンジ接続環状ブロック３０を押した後にベルトループをヒンジ接続環状ブロック３０と固定環状ブロック２８の間に置き、財布を落とすことを防ぎ、財布外殻１０を二つ折りにした後、連接ベルト２０を子スナップ２２のところに巻き付け、母スナップ２１と子スナップ２２をロックさせることができ、財布のロックを完成し、証明書類などを落とすことを防ぎ、モバイルバッテリー１８を使って携帯電話に充電することができ、同時にチップ１７に給電し、ブルートゥース（登録商標）を使って携帯とチップ１７とを接続し、財布を紛失するとチップ１７の信号により財布の位置が分かる。
【００１８】
使用の時、大仕切り１５の中に紙幣を入れ、左側の小仕切り１４にはカードを入れ、右側の小仕切り１４には名刺を入れ、証明書類区域１２には証明書類を入れ、小遣い区域１３には小遣いを入れ、面ファスナー１１には証明書類いれを貼り付け、小遣い区域１３をチャックによって開閉し、硬質外殻１６によって財布をダメージから守られる。
【００１９】
通常の状態では、リミットプッシュブロック４３がギヤ４２の影響でブロックチャンバ４１の底端に位置し、ラックストップブロック５２が糸巻きチャンバ２３の中に位置し柱４０を阻み、リール３７が回転できなく、ラックブロック４７が噛合によって連接ギヤ５０を連動させて回転させ、連接ギヤ５０が噛合によってラックストップブロック５２を連動させて下に移動させ、リール３７が回転でき、糸連接ブロック２７を引いて動かすことで糸２５を連動させて移動させ、糸２５がリール３７を引いて回転させ、これによりねじりバネ３６が力を蓄え、ヒンジ接続環状ブロック３０を押した後にベルトループをヒンジ接続環状ブロック３０と固定環状ブロック２８の間に置き、財布を落とすことを防ぐ、糸連接ブロック２７を放し、ねじりバネ３６の影響でリール３７が反転してもとの位置に戻り、糸２５をリール３７に巻き付き、リミットプッシュブロック４３を放した後、ブロックチャンバ４１がリミットプッシュブロック４３が下に押し、これによりリミットプッシュブロック４３がもとの位置に戻り、ラックストップブロック５２が糸巻きチャンバ２３の中に入って環状リミット板３３を止める。
【００２０】
財布外殻１０を二つ折りにした後に、連接ベルト２０を子スナップ２２のところに巻き付け、母スナップ２１と子スナップ２２をロックさせ、財布のロックを完成し、証明書類などを落とすことを防ぐ。
【００２１】
モバイルバッテリー１８を使って携帯電話に充電することができ、同時にチップ１７に給電でき、ブルートゥース（登録商標）を使って携帯とチップ１７を接続し、財布を紛失するとチップ１７の信号より財布の位置が分かる。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。